(57)【特許請求の範囲】
【請求項１】
ユーザ機器（ＵＥ）が、第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させることと、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、前記第１のＲＡＴネットワークに関連するＧＰおよび前記ＵｐＰＴＳのために割り振られるシンボルの数が、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって判断される、
前記ＵｐＰＴＳにおいて送信することと
を備える、前記ＵＥによるワイヤレス通信のための方法。
【請求項２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項１に記載の方法。
【請求項３】
前記ＳＲＳ送信が、アップリンク送信のために割り振られる前記３つ以上のシンボルのうちの最後の２つのシンボル中で前記ＲＡＣＨ送信と重複する、請求項２に記載の方法。
【請求項４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項１に記載の方法。
【請求項５】
前記第２のＲＡＴネットワークが時分割同期符号分割多元接続（ＴＤ−ＳＣＤＭＡ）を備える、請求項１に記載の方法。
【請求項６】
前記第１のＲＡＴネットワークがロングタームエボリューション（ＬＴＥ）時分割複信（ＴＤＤ）を備える、請求項４に記載の方法。
【請求項７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項１０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項１１】
第１の無線アクセス技術（ＲＡＴ）ネットワークに関連するアップリンクパイロットタイムスロット（ＵｐＰＴＳ）中のアップリンク送信の領域を判断するための手段と、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させるための手段と、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、前記第１のＲＡＴネットワークに関連するＧＰおよび前記ＵｐＰＴＳのために割り振られるシンボルの数が、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって判断される、
前記ＵｐＰＴＳにおいて送信するための手段と
を備える、ワイヤレス通信のための装置。
【請求項１２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項１１に記載の装置。
【請求項１３】
前記ＳＲＳ送信が、アップリンク送信のために割り振られる前記３つ以上のシンボルのうちの最後の２つのシンボル中で前記ＲＡＣＨ送信と重複する、請求項１２に記載の装置。
【請求項１４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項１１に記載の装置。
【請求項１５】
前記第２のＲＡＴネットワークが時分割同期符号分割多元接続（ＴＤ−ＳＣＤＭＡ）を備える、請求項１１に記載の装置。
【請求項１６】
前記第１のＲＡＴネットワークがロングタームエボリューション（ＬＴＥ）時分割複信（ＴＤＤ）を備える、請求項１５に記載の装置。
【請求項１７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項１８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項１９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項２０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項２１】
第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させることと、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、少なくとも１つのプロセッサが、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって、前記第１のＲＡＴネットワークに関連するＧＰおよび前記ＵｐＰＴＳのために割り振られるシンボルの数を判断するように構成される、
前記ＵｐＰＴＳにおいて送信することと
を行うように構成された前記少なくとも１つのプロセッサと、
前記少なくとも１つのプロセッサに結合されたメモリと
を備える、ワイヤレス通信のための装置。
【請求項２２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項２１に記載の装置。
【請求項２３】
前記少なくとも１つのプロセッサが、アップリンク送信のために割り振られる前記３つ以上のシンボルのうちの最後の２つのシンボル中で前記ＲＡＣＨ送信と重複する前記ＳＲＳ送信を送信するように構成される、請求項２２に記載の装置。
【請求項２４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項２１に記載の装置。
【請求項２５】
前記第２のＲＡＴネットワークが時分割同期符号分割多元接続（ＴＤ−ＳＣＤＭＡ）を備える、請求項２１に記載の装置。
【請求項２６】
前記第１のＲＡＴネットワークがロングタームエボリューション（ＬＴＥ）時分割複信（ＴＤＤ）を備える、請求項２５に記載の装置。
【請求項２７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項２８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項２９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項３０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項３１】
第１の無線アクセス技術（ＲＡＴ）ネットワークに関連するアップリンクパイロットタイムスロット（ＵｐＰＴＳ）中のアップリンク送信の領域を判断するためのコードと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させるためのコードと、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、前記第１のＲＡＴネットワークに関連するＧＰおよび前記ＵｐＰＴＳのために割り振られるシンボルの数が、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって判断される、
前記ＵｐＰＴＳにおいて送信するためのコードと
を備えるコンピュータ実行可能コードを記憶した、非一時的コンピュータ可読記憶媒体。
【請求項３２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項３１に記載の非一時的コンピュータ可読記憶媒体。
【請求項３３】
前記ＳＲＳ送信が、アップリンク送信のために割り振られる前記３つ以上のシンボルのうちの最後の２つのシンボル中で前記ＲＡＣＨ送信と重複する、請求項３２に記載の非一時的コンピュータ可読記憶媒体。
【請求項３４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項３１に記載の非一時的コンピュータ可読記憶媒体。
【請求項３５】
前記第２のＲＡＴネットワークが時分割同期符号分割多元接続（ＴＤ−ＳＣＤＭＡ）を備える、請求項３１に記載の非一時的コンピュータ可読記憶媒体。
【請求項３６】
前記第１のＲＡＴネットワークがロングタームエボリューション（ＬＴＥ）時分割複信（ＴＤＤ）を備える、請求項３５に記載の非一時的コンピュータ可読記憶媒体。
【請求項３７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読記憶媒体。
【請求項３８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読記憶媒体。
【請求項３９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読記憶媒体。
【請求項４０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読記憶媒体。
【発明の詳細な説明】
【技術分野】
【０００１】
関連出願の相互参照
[0001]本特許出願は、本出願の譲受人に譲渡され、その全体が参照により本明細書に明確に組み込まれる、中華人民共和国の知識産権局において２０１２年８月３日に出願された「Subframe Configurations for LTE TDD Systems」と題する国際出願第ＰＣＴ／ＣＮ２０１２／０７９６２３号の優先権を主張する。
【０００２】
[0002]本開示のいくつかの態様は、一般にワイヤレス通信に関し、より詳細には、ＬＴＥ  ＴＤＤシステムのためのスペシャルサブフレーム中でアップリンク送信を送信することに関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ：3rd Generation Partnership Project）ロングタームエボリューション（ＬＴＥ：Long Term Evolution）システム、ロングタームエボリューションアドバンスト（ＬＴＥ−Ａ：Long Term Evolution Advanced）システム、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力または多入力多出力（ＭＩＭＯ）システムを介して確立され得る。
【０００５】
[0005]ワイヤレス通信技術が進歩するにつれて、ますます多くの異なる無線アクセス技術が利用されている。たとえば、現在、多くの地理的エリアが複数のワイヤレス通信システムによってサービスされており、ワイヤレス通信システムの各々は、１つまたは複数の異なるエアインターフェース技術を利用することができる。そのようなネットワーク環境におけるワイヤレス端末の汎用性を高めるために、最近、複数の無線技術の下で動作することができるマルチモードワイヤレス端末に対する志向が高まっている。たとえば、マルチモード実装により、端末は、ある地理的エリアにおいて、各々が異なる無線インターフェース技術を利用し得る複数のシステムの中からあるシステムを選択し、その後、１つまたは複数の選択されたシステムと通信することが可能になり得る。
【発明の概要】
【０００６】
[0006]本開示のいくつかの態様は、ワイヤレス通信のための方法を提供する。本方法は、概して、第１の無線アクセス技術（ＲＡＴ：radio access technology）ネットワークに関連するアップリンクパイロットタイムスロット（ＵｐＰＴＳ：uplink pilot timeslot）中のアップリンク送信の領域を判断することと、ここにおいて、ＵｐＰＴＳが、アップリンク送信のために割り振られる３つ以上のシンボルを備える、ＵｐＰＴＳにおいて送信することとを含む。
【０００７】
[0007]本開示のいくつかの態様は、ワイヤレス通信のための装置を提供する。本装置は、概して、第１の無線アクセス技術（ＲＡＴ）ネットワークに関連するアップリンクパイロットタイムスロット（ＵｐＰＴＳ）中のアップリンク送信の領域を判断するための手段と、ここにおいて、ＵｐＰＴＳが、アップリンク送信のために割り振られる３つ以上のシンボルを備える、ＵｐＰＴＳにおいて送信するための手段とを含む。
【０００８】
[0008]本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、概して、第１の無線アクセス技術（ＲＡＴ）ネットワークに関連するアップリンクパイロットタイムスロット（ＵｐＰＴＳ）中のアップリンク送信の領域を判断することと、ここにおいて、ＵｐＰＴＳが、アップリンク送信のために割り振られる３つ以上のシンボルを備える、ＵｐＰＴＳにおいて送信することとを行うように構成される。
【０００９】
[0009]本開示のいくつかの態様は、ワイヤレス通信のためのコンピュータプログラム製品を提供する。本コンピュータプログラム製品は、概して、第１の無線アクセス技術（ＲＡＴ）ネットワークに関連するアップリンクパイロットタイムスロット（ＵｐＰＴＳ）中のアップリンク送信の領域を判断することと、ここにおいて、ＵｐＰＴＳが、アップリンク送信のために割り振られる３つ以上のシンボルを備える、ＵｐＰＴＳにおいて送信することとを行うためのコードを有するコンピュータ可読媒体を含む。
【００１０】
[0010]本開示の態様および実施形態は、全体を通じて同様の参照符号が同様のものを指す図面とともに、以下に記載する発明を実施するための形態を読めばより明らかになろう。
【図面の簡単な説明】
【００１１】
【図１】[0011]本開示のいくつかの態様による、例示的な多元接続ワイヤレス通信システムを示す図。
【図２】[0012]本開示のいくつかの態様による、アクセスポイントおよびユーザ端末のブロック図。
【図３】[0013]本開示のいくつかの態様による、ワイヤレスデバイスにおいて利用され得る様々な構成要素を示す図。
【図４】[0014]本開示のいくつかの態様による、電気通信システムにおけるフレーム構造の一例を概念的に示すブロック図。
【図５】[0015]本開示のいくつかの態様による、ＬＴＥ  ＴＤＤ規格におけるフレームにおけるダウンリンク／アップリンク（ＤＬ／ＵＬ）構成の例示的なリストを示す図。
【図６】[0016]異なるＴＤＤシステムの共存を示す図。
【図７】[0017]本開示のいくつかの態様による、追加のＵｐＰＴＳシンボルをもつ、異なるＴＤＤシステムの共存を示す図。
【図８】[0018]本開示のいくつかの態様による、様々なＤＬ／ＵＬ構成の時分割同期符号分割多元接続（ＴＤ−ＳＣＤＭＡ）ネットワークとの共存のためのＬＴＥ  ＴＤＤスペシャルサブフレーム（ＳＳＦ：special subframe）構成を示す図。
【図９Ａ】[0019]本開示のいくつかの態様による、６：２：６のＳＳＦ構成において追加のアップリンクパイロットタイムスロット（ＵｐＰＴＳ）シンボルを利用することによる、サウンディング基準信号（ＳＲＳ：sounding reference signal）とランダムアクセスチャネル（ＲＡＣＨ：random access channel）との送信を示す図。
【図９Ｂ】本開示のいくつかの態様による、６：２：６のＳＳＦ構成において追加のアップリンクパイロットタイムスロット（ＵｐＰＴＳ）シンボルを利用することによる、サウンディング基準信号（ＳＲＳ）とランダムアクセスチャネル（ＲＡＣＨ）との送信を示す図。
【図１０】[0020]本開示のいくつかの態様による、追加のＵｐＰＴＳシンボル中でアップリンク送信を送信するための例示的な動作の流れ図。
【発明を実施するための形態】
【００１２】
[0021]添付の図面を参照しながら本開示の様々な態様について以下でより十分に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わされるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示のいずれの態様も、請求項の１つまたは複数の要素によって実施され得ることを理解されたい。
【００１３】
[0022]「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。
【００１４】
[0023]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１５】
例示的なワイヤレス通信システム
[0024]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体からの文書に記載されている。ＣＤＭＡ２０００は、「第３世代パートナーシッププロジェクト２」（３ＧＰＰ２：3rd Generation Partnership Project 2）と称する団体からの文書に記載されている。
【００１６】
[0025]シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  ＬＴＥおよび発展型ＵＴＲＡにおけるアップリンク多元接続方式に関する実用的な前提である。
【００１７】
[0026]アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１８】
[0027]アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００１９】
[0028]図１を参照すると、一態様による多元接続ワイヤレス通信システムが示されている。アクセスポイント１００（ＡＰ）は複数のアンテナグループを含み得、あるアンテナグループはアンテナ１０４と１０６とを含み、別のアンテナグループはアンテナ１０８と１１０とを含み、追加のアンテナグループはアンテナ１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４、および１２６は、通信のための異なる周波数を使用し得る。たとえば、順方向リンク１２０は、逆方向リンク１１８によって使用される次いで異なる周波数を使用し得る。
【００２０】
[0029]アンテナの各グループ、および／またはアンテナが通信するように設計されたエリアは、しばしば、アクセスポイントのセクタと呼ばれる。本開示の一態様では、アンテナグループはそれぞれ、アクセスポイント１００によってカバーされるエリアのセクタ内でアクセス端末に通信するように設計され得る。
【００２１】
[0030]順方向リンク１２０および１２６上の通信では、アクセスポイント１００の送信アンテナは、異なるアクセス端末１１６および１２２に対して順方向リンクの信号対雑音比を改善するためにビームフォーミングを利用し得る。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００２２】
[0031]図２に、多入力多出力（ＭＩＭＯ）システム２００における（アクセスポイントとしても知られる）送信機システム２１０と（アクセス端末としても知られる）受信機システム２５０との態様のブロック図を示す。送信機システム２１０において、いくつかのデータストリームのトラフィックデータがデータソース２１２から送信（ＴＸ）データプロセッサ２１４に与えられる。
【００２３】
[0032]本開示の一態様では、各データストリームは、それぞれの送信アンテナを介して送信され得る。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００２４】
[0033]各データストリームのコード化データは、直交周波数分割多重化（ＯＦＤＭ）技法を使用してパイロットデータと多重化され得る。パイロットデータは、典型的には、知られている方法で処理される知られているデータパターンであり、チャネル応答を推定するために受信機システムにおいて使用され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ２３０によって実行される命令によって判断され得る。メモリ２３２は、送信機システム２１０のためのデータとソフトウェアとを記憶し得る。
【００２５】
[0034]次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０はＮT個の変調シンボルストリームをＮT個の送信機（ＴＭＴＲ）２２２ａ〜２２２ｔに与える。本開示のいくつかの態様では、ＴＸ  ＭＩＭＯプロセッサ２２０は、データストリームのシンボルと、シンボルの送信元のアンテナとにビームフォーミング重みを適用する。
【００２６】
[0035]各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに好適な被変調信号を与える。次いで、送信機２２２ａ〜２２２ｔからのＮT個の被変調信号は、それぞれＮT個のアンテナ２２４ａ〜２２４ｔから送信される。
【００２７】
[0036]受信機システム２５０において、送信された被変調信号はＮR個のアンテナ２５２ａ〜２５２ｒによって受信され得、各アンテナ２５２からの受信信号は、それぞれの受信機（ＲＣＶＲ）２５４ａ〜２５４ｒに与えられ得る。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【００２８】
[0037]次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。ＲＸデータプロセッサ２６０は、次いで、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。
【００２９】
[0038]プロセッサ２７０は、どのプリコーディング行列を使用すべきかを周期的に判断する。プロセッサ２７０は、行列インデックス部分とランク値部分とを備える逆方向リンクメッセージを作成する。メモリ２７２は、受信機システム２５０のためのデータとソフトウェアとを記憶し得る。逆方向リンクメッセージは、通信リンクおよび／または受信データストリームに関する様々なタイプの情報を備え得る。逆方向リンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３０】
[0039]送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次いで、プロセッサ２３０は、ビームフォーミング重みを判断するためにどのプリコーディング行列を使用すべきかを判断し、抽出されたメッセージを処理する。
【００３１】
[0040]図３に、図１に示したワイヤレス通信システム内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は、基地局１００、またはユーザ端末１１６および１２２のいずれかであり得る。
【００３２】
[0041]ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００３３】
[0042]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３４】
[0043]ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度、および他の信号として検出し得る。ワイヤレスデバイス３０２はまた、信号を処理する際に使用するデジタル信号プロセッサ（ＤＳＰ）３２０を含み得る。
【００３５】
[0044]ワイヤレスデバイス３０２の様々な構成要素は、データバスに加えて、電力バスと、制御信号バスと、ステータス信号バスとを含み得る、バスシステム３２２によって互いに結合され得る。
【００３６】
[0045]図４に、時分割複信ロングタームエボリューション（ＬＴＥ  ＴＤＤ）キャリアのためのフレーム構造４００を示す。ＬＴＥ  ＴＤＤキャリアは、図示のように、長さが１０ｍｓであるフレーム４０２を有する。フレーム４０２は２つの５ｍｓハーフフレーム４０４を有し、ハーフフレーム４０４の各々は５つの１ｍｓサブフレーム４０６を含む。各サブフレーム４０６は、ダウンリンクサブフレーム（Ｄ）、アップリンクサブフレーム（Ｕ）、またはスペシャルサブフレーム（ＳＳＦ）であり得る。ダウンリンクサブフレームおよびアップリンクサブフレームは２つの０．５ｍｓスロット４０８に分割され得る。
【００３７】
[0046]スペシャルサブフレームは、ダウンリンクパイロットタイムスロット（ＤｗＰＴＳ：downlink pilot timeslot）４１０と、ガード期間（ＧＰ：guard period）４１２と、アップリンクパイロットタイムスロット（ＵｐＰＴＳ）４１４とに分割され得、各フィールドの長さは変動し得、全長１ｍｓである。Ｒｅｌ−１０まで、ＬＴＥ  ＴＤＤは、３ＧＰＰ  ＴＳ３６．２１１、セクション４．２、表４．２−１において見つけられ得る、少なくとも９つのＳＳＦ構成を指定する。従来、ＵｐＰＴＳは、短いランダムアクセスチャネル（ＲＡＣＨ）送信およびサウンディング基準信号（ＳＲＳ）送信のために使用され得る、すべての既存の構成における１つまたは２つのシンボルのみを有し得る。
【００３８】
[0047]図５に、ＬＴＥ規格に従うＬＴＥ  ＴＤＤフレーム４０２におけるダウンリンク／アップリンク構成の例示的なリストを示す。この表では、Ｄ、Ｕ、およびＳは、それぞれダウンリンクサブフレーム４０６、アップリンクサブフレーム４０６、およびスペシャルサブフレーム４０６を示す。スペシャルサブフレームＳは、ＤｗＰＴＳ４１０フィールドと、ＧＰ４１２フィールドと、ＵｐＰＴＳ４１４フィールドとからなり得る。図示のように、５ｍｓスイッチポイント周期および１０ｍｓスイッチポイント周期のためのいくつかのＤＬ／ＵＬ構成が、ＬＴＥ  ＴＤＤフレーム４０２のために選択され得る。構成０、１、および２は、１０ｍｓＬＴＥ  ＴＤＤフレーム４０２内に２つの同じ５ｍｓハーフフレーム４０４を有する。５ｍｓスイッチポイント周期の場合、スペシャルフレームが両方のハーフフレーム４０４中に存在し得る。しかしながら、１０ｍｓスイッチポイント周期の場合、スペシャルサブフレームが第１のハーフフレーム中にのみ存在し得る。サブフレーム０および５ならびにＤｗＰＴＳがＤＬ送信のために予約され得る。さらに、ＵｐＰＴＳ、およびスペシャルサブフレームの直後のサブフレームがＵＬ送信のために予約され得る。
【００３９】
ＬＴＥ  ＴＤＤシステムのためのサブフレーム構成
[0048]図６に、異なるＴＤＤシステム（たとえば、ＴＤ−ＳＣＤＭＡおよびＬＴＥ  ＴＤＤ）の共存を示す。ＴＤＤシステムは、６０２に示されているように、アップリンクリソースを整合させることによって共存し得る。ＳＳＦ構成の選択は他のＴＤＤシステム（たとえば、ＴＤ−ＳＣＤＭＡ）との共存を考慮に入れ得る。図６に示されているように、商用ＴＤ−ＳＣＤＭＡネットワークの現在のＤＬ／ＵＬ構成は４：２である。ＴＤ−ＳＣＤＭＡと共存するための有効なＬＴＥ構成は構成２（すなわち、３：１、ＤＳＵＤＤ）であり得る。既存のＳＳＦ構成のうち、３：９：２および３：１０：１（すなわち、ＤｗＰＴＳ：ＧＰ：ＵｐＰＴＳ）が採用され得る。
【００４０】
[0049]上述の共存シナリオでは、ＧＰフィールドは冗長性を有し得、図６に示されているように、少なくとも３つのさらなるシンボルがＤＬのために追加され得る。さらに、ＧＰはＬＴＥ  ＤＬからＵＬへの干渉移行のために使用され得、９個または１０個のシンボルのＧＰ長が、たいていのシナリオにおける要件を超え得る、約９６ｋｍ／１０７ｋｍの最大セル半径のサポートを与え得る。商用展開では、そのような大きいセルは採用されないことがある。その結果、ＤｗＰＴＳフィールドはＧＰエリアに拡張され得る。たとえば、６：６：２の新しいＳＳＦ構成が、ＤＬ／ＵＬ４：２ＴＤ−ＳＣＤＭＡネットワークとの共存のために使用され得る。このＳＳＦ構成では、６つのシンボルがＤｗＰＴＳのために使用され得、それにより、約１０％のＤＬ容量利得がもたらされ得る。さらに、６つのシンボルのＧＰ長は、ＤＬからＵＬへの干渉移行を処理するのに十分であり、約６０ｋｍの最大セル半径を与え得る。したがって、データまたはシグナリングのいずれかの送信のために冗長ＧＰエリアが採用され得る。
【００４１】
[0050]ＵＬチャネルサウンディングは、周波数選択性スケジューリングおよびリンク適応を可能にし得る、ＵＬチャネル情報を収集するｅＮＢのために重要である。また、チャネル相反性に基づくＤＬビームフォーミングは、ＬＴＥ  ＴＤＤにおけるＵＬサウンディング基準信号（ＳＲＳ）送信を必要とし得る。ＬＴＥでは、ＳＲＳ送信は、インターリーブされた周波数分割多元接続（ＦＤＭＡ）構造を使用し、その結果、くし状構造が生じ得る。ＵＥは、その場合、偶数のコムオフセット（comb-offset）または奇数のコムオフセットのいずれかを使用するように構成され得る。複数のＵＥは、同じリソースブロック（ＲＢ）と同じコムオフセットとを使用してＳＲＳを送信するように構成され、直交分離を達成するためにＳＲＳシーケンスの最高８つの異なるサイクリックシフトがあり、その結果、同じＳＲＳリソース上に１６回のＳＲＳ送信機会が生じ得る。
【００４２】
[0051]たとえば、ＳＲＳ送信が他のＵＬ送信と一致する場合、ＳＲＳ送信が回避される必要がある追加の制限があり得る（たとえば、ＳＲＳが同じサブフレーム中のＣＱＩ（チャネル品質情報）と一致される場合、ＳＲＳは送信されるべきではない）。これらの制限により、特にマルチユーザシステムでは、制限されたＳＲＳ送信機会が生じ得る。制限されたＳＲＳ送信は、チャネル状態情報精度に敏感であり得るＤＬビームフォーミング性能に悪影響を及ぼし得る。
【００４３】
[0052]ＳＲＳはまた、通常のサブフレーム中で構成され得る。しかしながら、通常のサブフレーム中でＳＲＳを構成することは、物理アップリンク共有チャネル（ＰＵＳＣＨ：physical uplink shared channel）および物理アップリンク制御チャネル（ＰＵＣＣＨ：physical uplink control channel）など、他のアップリンク送信のために利用可能なＵＬリソースを減少させ得る。したがって、ＳＲＳ送信は、有益なＵＬアクセスリソースを節約するためにＵｐＰＴＳ中で構成され得る。
【００４４】
[0053]ＳＲＳ送信の一例として、ＳＲＳリソースがＵｐＰＴＳ中で構成されるとき（たとえば、現在の規格ごとに多くとも２つのシンボル）、５ｍｓＳＲＳ周期、２ＳＳＦ／１０ｍｓを要し、（たとえば、広帯域または複数サブバンドサウンディングのいずれかを介して）フルチャネル情報を要求すると、３２人のユーザのみが、ＳＲＳを送信するためにスケジュールされ得、したがって、ＳＲＳスイッチングなしに送信モード（ＴＭ）７およびＴＭ８を用いて３２人のユーザのみをサービスし得る。ＴＭ８では、ｅＮＢが、ＵＥの２つのアンテナに向かうチャネルを知る必要がある場合、ＳＲＳスイッチングが採用され得、その結果、サポートされるユーザは１６人だけになる。ＤＬ／ＵＬ構成２を例にとると、ＳＲＳ送信がまた通常のサブフレーム中で構成される場合でも、それぞれ、ＳＲＳスイッチングをもたない最高４８人のユーザ／ＳＲＳスイッチングをもつ最高２４人のユーザがサポートされ得る。したがって、特にＵｐＰＴＳが２つのシンボルのみを有するとき、ＳＲＳリソースが不十分である。
【００４５】
[0054]Ｒｅｌ−１０ＬＴＥ  ＴＤＤおよびそれ以降のリリースでは、ビームフォーミングに基づく高次ＤＬ  ＭＩＭＯが定義される。チャネル相反性を享受することからより良いパフォーマンスを達成するために、さらなるＳＲＳ送信が選好される。その上、（たとえば、Ｒｅｌ−１０において定義される）高次ＵＬ  ＭＩＭＯをより良くサポートするために、異なるＵＬアンテナからのＳＲＳ送信も必要とされ得る。したがって、Ｒｅｌ−８／９ＳＲＳリソースがＲｅｌ−１０およびそれ以降のために制限され得ることが予想される。したがって、本開示の態様は、ＳＳＦ  ＧＰ冗長性を緩和し、ＵＬ送信のためのリソースを増加させるための技法を提供する。
【００４６】
[0055]本開示の態様は、上記で説明した問題に対処するために、より多くのＵｐＰＴＳシンボルを有するＳＳＦ構成を提供する。いくつかの態様では、ＵｐＰＴＳエリアは現在のＧＰエリアに拡張され、したがって、ＵＬ送信のためのより多くのＵｐＰＴＳシンボルを有し得る。一般に、ＳＳＦ構成は、ネットワークが展開されたときに判断され得る。その後、どのＵｐＰＴＳシンボルがあるＵＥのために使用されるかがネットワークまたはそのＵＥによってスケジュールされ得る。ＵｐＰＴＳシンボルはＳＲＳ（または短いＲＡＣＨ）送信のために使用され得、異なるＳＳＦ構成は異なる共存要件を満たすために使用され得る。ＵｐＰＴＳシンボルはまた、ピアツーピア通信および様々な他のＵＬデータ送信など、他の目的のために使用され得る。
【００４７】
[0056]図７に、本開示のいくつかの態様による、追加のＵｐＰＴＳシンボルをもつ、異なるＴＤＤシステム（たとえば、ＤＬ／ＵＬ４：２のＴＤ−ＳＣＤＭＡおよびＤＬ／ＵＬ３：１のＬＴＥ  ＴＤＤ）の共存を示す。表１に、ＴＤ−ＳＣＤＭＡの各フィールドの長さを示す。
【表１】
0006275714.tif 000002
【００４８】
総アップリンクリソース（たとえば、ＴＳ１、ＴＳ２、およびＵｐＰＴＳ）とＴＤ−ＳＣＤＭＡのガード期間との和は１５５０μｓ（６７５×２＋１２５＋７５）である。上述のように、ＴＤＤシステムは、アップリンクリソースを整合させることによって共存し得る。したがって、ＤＬ／ＵＬ３：１のＬＴＥ  ＴＤＤが１つのアップリンクサブフレーム（たとえば、１０００μｓ）を有することを考えると、ＬＴＥ  ＴＤＤのＧＰとＵｐＰＴＳとの組み合わせられた最小長さは５５０μｓ（１５５０μｓ−１０００μｓ）であり得る。その結果、ＴＤＤシステムのアップリンクリソースは７０２および７０４において整合され得る。各シンボルが約７１．３５μｓの長さを有すると、ＧＰおよびＵｐＰＴＳは８つのシンボル（たとえば、５５０μｓ／７１．３５≒８シンボル）にわたって分散され、ＤｗＰＴＳのための６つのシンボルが残り得る。ＧＰとＵｐＰＴＳとの間の８つのシンボルを分散させることにより、以下の構成（ＤｗＰＴＳ：ＧＰ：ＵｐＰＴＳ、６：（８−ｎ）：ｎ、ただし、ｎはＵｐＰＴＳシンボルの数である）が生じ得る。
【００４９】
６：７：１、
６：６：２、
６：５：３、
６：４：４、
６：３：５、
６：２：６、および
６：１：７。
【００５０】
[0057]既存のＳＳＦ構成（たとえば、ＵｐＰＴＳのための最高２つのシンボル）と比較して、７つの構成のうちの５つはより多くのＵｐＰＴＳシンボルを有し、これらの構成もより多くのＤｗＰＴＳシンボル（したがってＤＬ観点からより効率的）を有する。最後の構成（６：１：７）では、１つのシンボル長のＧＰは、典型的なＬＴＥ  ＴＤＤ展開シナリオを満たし得る、約１０ｋｍのセル半径のＤＬからＵＬへの干渉を処理し得る。したがって、新しい構成のＧＰは十分であり得る。
【００５１】
[0058]図８に、本開示のいくつかの態様による、他のＤＬ／ＵＬ構成のＴＤ−ＳＣＤＭＡネットワークとの共存のためのＬＴＥ  ＴＤＤ  ＳＳＦ構成を示す。ＤＬ／ＵＬ３：３のＴＤ−ＳＣＤＭＡに関して、ＴＤ−ＳＣＤＭＡシステムのＤｗＰＴＳがＬＴＥ  ＴＤＤシステムのＵｐＰＴＳに干渉し得るので、５つ以上のＵｐＰＴＳシンボルをもつＬＴＥ  ＴＤＤ  ＳＳＦ構成は、ＴＤ−ＳＣＤＭＡシステムとの共存のために有効でないことがある。ＤＬ／ＵＬ４：２のＴＤ−ＳＣＤＭＡに関して、８つ以上のＵｐＰＴＳシンボルをもつＬＴＥ  ＴＤＤ  ＳＳＦ構成は、ＴＤ−ＳＣＤＭＡシステムとの共存のために有効でないことがある。ＤＬ／ＵＬ１：５のＴＤ−ＳＣＤＭＡに関して、９つ以上のＵｐＰＴＳシンボルをもつＬＴＥ  ＴＤＤ  ＳＳＦ構成は、ＴＤ−ＳＣＤＭＡシステムとの共存のために有効でないことがある。図８はＴＤ−ＳＣＤＭＡネットワークとの共存のためのＬＴＥ  ＴＤＤ  ＳＳＦ構成を示しているが、（たとえば、ＴＤ−ＳＣＤＭＡシステムとの共存要件がないシナリオでは）ＳＳＦ構成はスタンドアロンＬＴＥ  ＴＤＤ展開のために使用され得る。
【００５２】
[0059]上記で説明したように、ＵｐＰＴＳシンボルは、ＳＲＳ送信（または短いＲＡＣＨ）または他のＵＬ送信（たとえば、ＰＵＳＣＨ、ピアツーピア通信）のために使用され得る。実際の展開のために使用される構成は、セルカバレージ／半径（ＧＰ長）、必要とされるＳＲＳ容量、および必要とされるＲＡＣＨ容量など、様々なファクタに依存し得る。
【００５３】
[0060]図９Ａ〜図９Ｂに、本開示のいくつかの態様による、６：２：６のＳＳＦ構成において追加のＵｐＰＴＳシンボルを利用することによる、ＳＲＳとＲＡＣＨとの送信を示す。図８に示したように、６：２：６のＳＳＦ構成は４：２のＴＤ−ＳＣＤＭＡとの共存のために使用され得る。図９Ａ〜図９Ｂは、ＵｐＰＴＳ中でＳＲＳとＲＡＣＨとを構成するための様々な方法を示している。
【００５４】
[0061]図９Ａを参照すると、ＳＲＳリソースは、（最後の２つのＵｐＰＴＳシンボル中のＲＡＣＨリソースの不透明性によって示される）ＲＡＣＨリソースと重複するように構成されないことがある。このようにして、ＳＲＳは、サブバンドに従って構成され得る。たとえば、２０ＭＨｚ帯域幅では、ＳＲＳは、（たとえば、ＲＡＣＨが構成される）最後の２つのＵｐＰＴＳシンボル中の４８個のリソースブロック（ＲＢ）を使用し、他のＵｐＰＴＳシンボル中の９６個のＲＢを使用するように構成され得る。いくつかの態様では、複数サブバンドＳＲＳインスタンスが、必要な場合、フルチャネルをサウンディングするために使用され得る。
【００５５】
[0062]図９Ｂを参照すると、ＳＲＳリソースは、（最後の２つのＵｐＰＴＳシンボル中のＲＡＣＨリソースの透明性によって示される）ＲＡＣＨリソースと重複するように構成され得る。このようにして、すべてのＵｐＰＴＳシンボル中のＳＲＳリソースはフルバンドであり得る。たとえば、２０ＭＨｚ帯域幅では、ＳＲＳは、すべてのＵｐＰＴＳシンボル中の９６個のＲＢを使用するように構成され得る。
【００５６】
[0063]従来ＵｐＰＴＳシンボルのために予約される２つのシンボルと比較して、図９Ａ〜図９Ｂは、ＳＲＳのための４つの追加のＵｐＰＴＳシンボルを示している。図９Ｂに示された方法を使用する場合、またはＲＡＣＨがＵｐＰＴＳ中で構成されないとき、および一例として、５ｍｓＳＲＳ周期、２ＳＳＦ／１０ｍｓを要し、フルチャネル情報を要求し、ＵｐＰＴＳ中でのみＳＲＳを構成すると、最高９６人のユーザが、ＳＲＳスイッチングなしにＴＭ７またはＴＭ８を使用してサービスされ得る。ＳＲＳスイッチングが必要とされる場合、４８人のユーザがサポートされ得る。その結果、約２００％の利得が達成され得る（たとえば、それぞれ、ＳＲＳスイッチングをもたない９６人対３２人対１６人のユーザ／ＳＲＳスイッチングをもつ９６人対４８人対１６人のユーザ）。また、同じ仮定（たとえば、５ｍｓＳＲＳ周期、ＵＬ／ＤＬ構成２、およびフルバンドサウンディング）を用いて、ＳＲＳが通常のサブフレーム中で構成される場合、１１２人／５６人のユーザがサポートされ得る（たとえば、１３３％の利得、すなわち、それぞれ、ＳＲＳスイッチングをもたない１１２人対４８人対２４のユーザ／ＳＲＳスイッチングをもつ１１２人対５６人対２４人のユーザ）。より多くのＵｐＰＴＳシンボルをもつＳＳＦ構成はさらに大きい利得を与え得る。たとえば、１２個のシンボルがＵｐＰＴＳのために利用可能である場合、ＳＲＳがＵｐＰＴＳ中でのみ構成されるとき、利得は５００％であり得、ＳＲＳがＵｐＰＴＳと通常のサブフレームの両方の中で構成されるとき、利得は３３３％であり得る。
【００５７】
[0064]ベースラインとしての２つのシンボルのＵｐＰＴＳでは、表２は、上記と同じ仮定（たとえば、５ｍｓＳＲＳ周期、２ＳＳＦ／１０ｍｓ、フルチャネル情報、およびＬＴＥ  ＵＬ／ＤＬ構成２の下でより多くのＵｐＰＴＳシンボルを有することの（ＳＲＳを送信するためのサポートされるユーザに関する）概算利得の概要を与える。
【表２】
0006275714.tif 000003
【００５８】
[0065]従来、ＲＡＣＨリソースはＵｐＰＴＳの最後の２つのシンボル中で構成され得る。したがって、後方互換性を維持するために、ＲＡＣＨリソースは他のＵｐＰＴＳシンボル中で構成されないことがある。したがって、ＳＲＳが他のＵｐＰＴＳシンボル中で構成される場合、帯域幅は総ＵＬ帯域幅に等しくなり得る。
【００５９】
[0066]周期ＳＲＳ送信では、レガシーＵＥは、追加のＵｐＰＴＳシンボルを使用するように構成されることが可能でないことがある。追加のＵｐＰＴＳシンボルとレガシーシンボル（たとえば、最後の２つのＵｐＰＴＳシンボル）との間の非レガシーＵＥのために複数サブバンドＳＲＳの周波数ホッピングが可能にされた場合、衝突が発生し得る。いくつかの態様では、周波数ホッピングは、追加のＵｐＰＴＳシンボル間またはレガシーシンボル間のいずれかで行われ得るが、両方では行われないことがある。
【００６０】
[0067]非周期ＳＲＳ送信では、特定のＵＥが、少なくともフルバンドＳＲＳのために、ＵｐＰＴＳシンボルのうちの１つの中でのみＳＲＳを送信するようにトリガされ得る。周波数ホッピングが非周期ＳＲＳ送信のために有効である場合、帯域幅の複数の部分を巡回する、ＵｐＰＴＳ中の複数のシンボルにわたって送信が可能にされ得る。いくつかの態様では、あるＵＥは、どのシンボルがＵｐＰＴＳ中の非周期ＳＲＳ送信を搬送すべきかを示し得、異なるＵＥは、負荷分散のために異なるシンボルを用いて示され得る。一例として、ＵＥは、無線リソース制御（ＲＲＣ：radio resource control）構成または（拡張）物理ダウンリンク制御チャネル（（ｅ）ＰＤＣＣＨ：(enhanced) physical downlink control channel ）によってそのような指示を与え得る。
【００６１】
[0068]図１０は、本開示のいくつかの態様による、追加のＵｐＰＴＳシンボル中でアップリンク送信を送信するための例示的な動作１０００の流れ図である。動作１０００は、たとえば、第１の無線アクセス技術（ＲＡＴ）（たとえば、ＬＴＥ  ＴＤＤ）において動作するＵＥの観点から実行され得る。１００２において、ＵＥは、第１の無線アクセス技術（ＲＡＴ）ネットワークに関連するＵｐＰＴＳ中のアップリンク送信の領域を判断し、ここにおいて、ＵｐＰＴＳは、概して、アップリンク送信のために割り振られる３つ以上のシンボルを含む。上述のように、特定のネットワークのためのＳＳＦ構成（ＤｗＰＴＳ：ＧＰ：ＵｐＰＴＳ）は、ネットワークが展開されたときに判断され得る。その後、どのＵｐＰＴＳシンボルがあるＵＥのために使用されるかがネットワークまたはそのＵＥによってスケジュールされ得る。いくつかの態様では、ＵｐＰＴＳエリアは現在のＧＰエリアに拡張され、したがって、ＵＬ送信のための追加のＵｐＰＴＳシンボルを有し得る。
【００６２】
[0069]アップリンク送信の例としては、概して、ＳＲＳ送信、ＲＡＣＨ送信、ＰＵＳＣＨ送信、またはピアツーピア（Ｐ２Ｐ）通信に関与する送信がある。いくつかの態様では、ＳＲＳ送信は、アップリンク送信のために割り振られる３つ以上のシンボルのうちの最後の２つのシンボル中でＲＡＣＨ送信と重複し得る。１００４において、ＵＥはＵｐＰＴＳにおいて送信する。
【００６３】
[0070]いくつかの態様では、第１のＲＡＴネットワークは、第１のＲＡＴネットワークと第２のＲＡＴネットワークとの間でアップリンク送信を整合させることによって第２のＲＡＴネットワーク（たとえば、ＴＤ−ＳＣＤＭＡ）と共存し得る。アップリンク送信のために割り振られるシンボルの一部分は、第２のＲＡＴネットワークに関連する少なくともＧＰおよびＵｐＰＴＳと重複し得る。いくつかの態様では、第１のＲＡＴに関連するＧＰおよびＵｐＰＴＳのために割り振られるシンボルの数は、第２のＲＡＴネットワークに関連するＧＰおよびＵｐＰＴＳ、ならびに第２のＲＡＴネットワークに関連するアップリンクタイムスロットの総持続時間を判断することと、次いで、総持続時間と第１のＲＡＴネットワークに関連するアップリンクサブフレームの持続時間との間の差を判断することとによって判断され得る。
【００６４】
[0071]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【００６５】
[0072]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【００６６】
[0073]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００６７】
[0074]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【００６８】
[0075]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６９】
[0076]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００７０】
[0077]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００７１】
[0078]説明した機能は、ハードウェア、ソフトウェア、ファームウェアまたはそれらの任意の組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。
【００７２】
[0079]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００７３】
[0080]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【００７４】
[0081]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００７５】
[0082]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００７６】
[0083]上記は本開示の態様を対象とするが、本開示の他の態様およびさらなる態様は、それの基本的範囲から逸脱することなく考案され得、それの範囲は以下の特許請求の範囲によって判断される。
以下に本願の出願当初の特許請求の範囲に記載された発明を付記する。
[Ｃ１]  第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記ＵｐＰＴＳにおいて送信することとを備える、ワイヤレス通信のための方法。
[Ｃ２]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ１に記載の方法。
[Ｃ３]  前記ＳＲＳ送信が、アップリンク送信のために割り振られる前記３つ以上のシンボルのうちの最後の２つのシンボル中で前記ＲＡＣＨ送信と重複する、Ｃ２に記載の方法。
[Ｃ４]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ１に記載の方法。
[Ｃ５]  アップリンク送信のために割り振られる前記シンボルの一部分が、前記第２のＲＡＴネットワークに関連する少なくともガード期間（ＧＰ）およびＵｐＰＴＳと重複する、Ｃ４に記載の方法。
[Ｃ６]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ５に記載の方法。
[Ｃ７]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ６に記載の方法。
[Ｃ８]  前記第２のＲＡＴネットワークが時分割同期符号分割多元接続（ＴＤ−ＳＣＤＭＡ）を備える、Ｃ４に記載の方法。
[Ｃ９]  前記第１のＲＡＴネットワークがロングタームエボリューション（ＬＴＥ）時分割複信（ＴＤＤ）を備える、Ｃ８に記載の方法。
[Ｃ１０]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１１]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１２]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１３]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１４]  第１の無線アクセス技術（ＲＡＴ）ネットワークに関連するアップリンクパイロットタイムスロット（ＵｐＰＴＳ）中のアップリンク送信の領域を判断するための手段と、ここにおいて、前記ＵｐＰＴＳが、アップリンク送信のために割り振られる３つ以上のシンボルを備える、
前記ＵｐＰＴＳにおいて送信するための手段とを備える、ワイヤレス通信のための装置。
[Ｃ１５]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ１４に記載の装置。
[Ｃ１６]  前記ＳＲＳ送信が、アップリンク送信のために割り振られる前記３つ以上のシンボルのうちの最後の２つのシンボル中で前記ＲＡＣＨ送信と重複する、Ｃ１５に記載の装置。
[Ｃ１７]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ１４に記載の装置。
[Ｃ１８]  アップリンク送信のために割り振られる前記シンボルの一部分が、前記第２のＲＡＴネットワークに関連する少なくともガード期間（ＧＰ）およびＵｐＰＴＳと重複する、Ｃ１７に記載の装置。
[Ｃ１９]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ１８に記載の装置。
[Ｃ２０]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ１９に記載の装置。
[Ｃ２１]  前記第２のＲＡＴネットワークが時分割同期符号分割多元接続（ＴＤ−ＳＣＤＭＡ）を備える、Ｃ１７に記載の装置。
[Ｃ２２]  前記第１のＲＡＴネットワークがロングタームエボリューション（ＬＴＥ）時分割複信（ＴＤＤ）を備える、Ｃ２１に記載の装置。
[Ｃ２３]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２４]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２５]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２６]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２７]  第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記ＵｐＰＴＳにおいて送信することとを行うように構成された少なくとも１つのプロセッサと、前記少なくとも１つのプロセッサに結合されたメモリとを備える、ワイヤレス通信のための装置。
[Ｃ２８]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ２７に記載の装置。
[Ｃ２９]  前記ＳＲＳ送信が、アップリンク送信のために割り振られる前記３つ以上のシンボルのうちの最後の２つのシンボル中で前記ＲＡＣＨ送信と重複する、Ｃ２８に記載の装置。
[Ｃ３０]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ２７に記載の装置。
[Ｃ３１]  アップリンク送信のために割り振られる前記シンボルの一部分が、前記第２のＲＡＴネットワークに関連する少なくともガード期間（ＧＰ）およびＵｐＰＴＳと重複する、Ｃ３０に記載の装置。
[Ｃ３２]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ３１に記載の装置。
[Ｃ３３]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ３２に記載の装置。
[Ｃ３４]  前記第２のＲＡＴネットワークが時分割同期符号分割多元接続（ＴＤ−ＳＣＤＭＡ）を備える、Ｃ３０に記載の装置。
[Ｃ３５]  前記第１のＲＡＴネットワークがロングタームエボリューション（ＬＴＥ）時分割複信（ＴＤＤ）を備える、Ｃ３４に記載の装置。
[Ｃ３６]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ３７]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ３８]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ３９]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ４０]  ワイヤレス通信のためのコンピュータプログラム製品であって、
第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記ＵｐＰＴＳにおいて送信することとを行うためのコードを有するコンピュータ可読媒体を備える、コンピュータプログラム製品。
[Ｃ４１]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ４０に記載のコンピュータプログラム製品。
[Ｃ４２]  前記ＳＲＳ送信が、アップリンク送信のために割り振られる前記３つ以上のシンボルのうちの最後の２つのシンボル中で前記ＲＡＣＨ送信と重複する、Ｃ４１に記載のコンピュータプログラム製品。
[Ｃ４３]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ４０に記載のコンピュータプログラム製品。
[Ｃ４４]  アップリンク送信のために割り振られる前記シンボルの一部分が、前記第２のＲＡＴネットワークに関連する少なくともガード期間（ＧＰ）およびＵｐＰＴＳと重複する、Ｃ４３に記載のコンピュータプログラム製品。
[Ｃ４５]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ４４に記載のコンピュータプログラム製品。
[Ｃ４６]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ４５に記載のコンピュータプログラム製品。
[Ｃ４７]  前記第２のＲＡＴネットワークが時分割同期符号分割多元接続（ＴＤ−ＳＣＤＭＡ）を備える、Ｃ４３に記載のコンピュータプログラム製品。
[Ｃ４８]  前記第１のＲＡＴネットワークがロングタームエボリューション（ＬＴＥ）時分割複信（ＴＤＤ）を備える、Ｃ４７に記載のコンピュータプログラム製品。
[Ｃ４９]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
[Ｃ５０]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
[Ｃ５１]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
[Ｃ５２]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
【図１】
0006275714.tif 000004
【図２】
0006275714.tif 000005
【図３】
0006275714.tif 000006
【図４】
0006275714.tif 000007
【図５】
0006275714.tif 000008
【図６】
0006275714.tif 000009
【図７】
0006275714.tif 000010
【図８】
0006275714.tif 000011
【図９Ａ】
0006275714.tif 000012
【図９Ｂ】
0006275714.tif 000013
【図１０】
0006275714.tif 000014